(57)【要約】【課題】意匠性およびスイッチボックスカバーの開閉作業性を損なうことなく、スイッチボックスカバーとパネルとの間に段差が生じることを防ぐことのできるエレベータ用かご内操作盤の提供。【解決手段】上部パネル１と下部パネル３との間にスイッチボックスカバー２ａを有するスイッチボックス２が配されたかご内操作盤において、下部パネルおよび上部パネルの一方の裏面に取付けられ、突起１０ａ１が設けられるプレート１０ａと、ケース６に取付けられ、突起が嵌入される切欠部１０ｂ１が形成されたスプリング体１０ｂと、スプリング体をケース方向に変位させる変位部１０ｃとを具備してなるパネル高さ調整手段１０を備え、カバーロックの係止に伴い、スイッチボックスカバーの回転軸が傾くことを抑止し、スイッチボックスカバーとパネルとの間に段差が生じることを防ぐものである。【選択図】図７
2010275041.tif 000002
【特許請求の範囲】
【請求項１】
押し釦を搭載する上部パネルと、保守スイッチを収納するスイッチボックスと、このスイッチボックスの下に設置される下部パネルと、前記上部パネル、前記スイッチボックスおよび前記下部パネルの両端に対となって配設され、これらを一体化する補強板と、一体化された前記上部パネル、前記スイッチボックスおよび前記下部パネルを収納するケースとを有するとともに、前記スイッチボックスに、上部ヒンジおよび下部ヒンジを介して開閉可能に軸支されるとともに、鍵にて動作するカバーロックを上部および下部の一方に設けることでエレベータ通常使用時に閉じた状態を維持するスイッチボックスカバーが備えられ、かつ、前記補強板の一部が、前記スイッチボックスカバーを回転可能とするために切断されたエレベータ用かご内操作盤において、
前記下部パネルおよび前記上部パネルの一方の裏面に取付けられ、突起が設けられるプレートと、前記ケースに取付けられ、前記突起が嵌入される切欠部が形成されたスプリング体と、このスプリング体を前記ケース方向に変位させる変位部とを具備してなるパネル高さ調整手段を備えたことを特徴とするエレベータ用かご内操作盤。
【請求項２】
前記プレートに、他の突起を設け、前記スイッチボックスカバーとパネルとの間の間隙から差し込まれる治具により前記他の突起を押すことで前記突起と前記スプリング体との係合を解除可能としたことを特徴とする請求項１記載のエレベータ用かご内操作盤。
【請求項３】
前記変位部は、前記スプリング体から前記ケースに挿通される調整ねじを有してなることを特徴とする請求項１記載のエレベータ用かご内操作盤。
【発明の詳細な説明】
【技術分野】
【０００１】
本発明は、ヒンジの回転により全面を横方向へ開閉するカバーを有するスイッチボックスを搭載したエレベータ用かご内操作盤に関するものである。
【背景技術】
【０００２】
押し釦を搭載する上部パネルと、保守スイッチを収納するスイッチボックスと、このスイッチボックスの下に設置される下部パネルと、上部パネル、スイッチボックスおよび下部パネルの両端に対となって配設され、これらを一体化する補強板と、一体化された上部パネル、スイッチボックスおよび下部パネルを収納するケースから構成されるエレベータ用かご内操作盤において、スイッチボックスには、エレベータ通常使用時に閉じた状態を維持するとともに、スイッチボックス内部のスイッチ操作時に開くことのできるスイッチボックスカバーが必要である。エレベータ用かご内操作盤は、その意匠性を向上させるために、スイッチボックスカバーは全面開閉可能な構造とし、かご内操作盤表面に現れる切欠線の数を少なくすることが望ましい。
【０００３】
その方法として、例えば、スイッチボックスを、スイッチボックスカバーと、このスイッチボックスカバーを回転させる上部ヒンジおよび下部ヒンジと、スイッチボックスカバーを閉じた状態に維持するためのカバーロックとから構成する。このように構成されるスイッチボックスでは、スイッチボックスカバーの開き動作に応じて、スイッチボックスカバーの回転軸側、すなわち、上部ヒンジと下部ヒンジとを結んで形成される軸側はスイッチボックス内へ入り込む。このときスイッチボックスカバーと補強板が干渉しないよう、補強板の回転軸側は切断されている。また、エレベータ通常使用時、カバーロックはあて板に係止し、スイッチボックスカバーが閉じた状態を維持するようになっている。一方、スイッチボックスカバーを開く際には、鍵にてカバーロックを動作させ、あて板との係止を解除する。なお、カバーロックのあて板への係止が緩い場合、スイッチボックスカバーにがたつきが生じる。これを防ぐため、カバーロックのあて板への係止は比較的きつめに設定する必要がある。なお、エレベータかご内操作盤用スイッチボックスとして次のようなものがある（例えば、特許文献１参照）。
【先行技術文献】
【特許文献】
【０００４】
【特許文献１】特開２００７−２６１７９１号公報
【発明の概要】
【発明が解決しようとする課題】
【０００５】
しかしながら、前述した従来のエレベータ用かご内操作盤では、カバーロックのあて板への係止がきつく設定されているため、この係止に応じて、カバーロックが、例えばスイッチボックスカバーの上部に設けられたものの場合、スイッチボックスカバー上部にはケース方向への力が作用するとともに、スイッチボックスカバー下部には反ケース方向への力が作用する。
【０００６】
スイッチボックスカバーの反回転軸側では、上部パネルおよび下部パネルは補強板にて固定されており、上下パネルの表面は同一面となる。しかし、前述したようにスイッチボックスカバーの回転軸側では補強板が切断されているため、変位を抑止する強度を得ることができず、回転軸は下部ヒンジを反ケース方向へ持ち上げるように傾くとともに、下部ヒンジが取付けられた下部パネルも持ち上げられる。このため、スイッチボックスカバーと下部パネルとの間に段差が生じるという問題があった。
【０００７】
この段差を解消する方法として、スイッチボックスカバー下部にもカバーロックを設置する方法が考えられるが、開閉作業時に２本の鍵が必要となり開閉作業性が悪化する上、鍵穴の増加がスイッチボックスカバーの意匠に影響を与える。
【０００８】
また、スイッチボックスカバー下部に突起を設け、この突起と下部パネルを接触させ、段差を解消する方法も考えられるが、スイッチボックスカバーを開閉させる際に、突起と下部パネルの接触を解除する必要があり、開閉作業性に影響する。
【０００９】
本発明は、前述した従来技術における実情からなされたもので、その目的は、意匠性およびスイッチボックスカバーの開閉作業性を損なうことなく、スイッチボックスカバーとパネルとの間に段差が生じることを防ぐことのできるエレベータ用かご内操作盤を提供することにある。
【課題を解決するための手段】
【００１０】
前記目的を達成するために、本発明の請求項１に係る発明は、押し釦を搭載する上部パネルと、保守スイッチを収納するスイッチボックスと、このスイッチボックスの下に設置される下部パネルと、前記上部パネル、前記スイッチボックスおよび前記下部パネルの両端に対となって配設され、これらを一体化する補強板と、一体化された前記上部パネル、前記スイッチボックスおよび前記下部パネルを収納するケースとを有するとともに、前記スイッチボックスに、上部ヒンジおよび下部ヒンジを介して開閉可能に軸支されるとともに、鍵にて動作するカバーロックを上部および下部の一方に設けることでエレベータ通常使用時に閉じた状態を維持するスイッチボックスカバーが備えられ、かつ、前記補強板の一部が、前記スイッチボックスカバーを回転可能とするために切断されたエレベータ用かご内操作盤において、前記下部パネルおよび前記上部パネルの一方の裏面に取付けられ、突起が設けられるプレートと、前記ケースに取付けられ、前記突起が嵌入される切欠部が形成されたスプリング体と、このスプリング体を前記ケース方向に変位させる変位部とを具備してなるパネル高さ調整手段を備えたことを特徴としている。
【００１１】
このように構成した本発明の請求項１に係る発明では、一体化された上部パネル、スイッチボックスおよび下部パネルをケースへ装着すると、下部パネルおよび上部パネルの一方の裏面に取付けられたパネル高さ調整手段のプレートの突起が、ケースに取付けられたスプリング体の切欠部に嵌入される。この状態で変位部によりスプリング体をケース方向に変位させ、プレートをケース側へ引っ張る。これによって、カバーロックの係止に伴い、スイッチボックスカバーの回転軸、すなわち、上部ヒンジと下部ヒンジとを結んで形成される軸が傾くことを抑止し、スイッチボックスカバーとパネルとの間に段差が生じることを防ぐ。また、パネル高さ調整手段はパネルとケースとの空隙に配置されるものであることから、意匠性を損なうことがないとともに、スイッチボックスカバーの開閉作業性を損なうこともない。
【００１２】
また、本発明の請求項２に係る発明は、前記プレートに、他の突起を設け、前記スイッチボックスカバーとパネルとの間の間隙から差し込まれる治具により前記他の突起を押すことで前記突起と前記スプリング体との係合を解除可能としたことを特徴としている。
【００１３】
このように構成した本発明の請求項２に係る発明では、上部パネル、スイッチボックスおよび下部パネルからなる一体物は、プレートとスプリング体との係合を介してケースと連結されるが、カバーロックの故障等によりスイッチボックスカバーが開不可となった場合、上部パネル、スイッチボックスおよび下部パネルからなる一体物をケースから取り外せなくなる恐れがある。そこで、スイッチボックスカバーとパネルとの間の間隙から治具を挿入し、プレートに設けた他の突起を押すことで、プレートとスプリング体との係合を解除できる。これにより、カバーロックが故障しても上部パネル、スイッチボックスおよび下部パネルからなる一体物をケースから取り外すことができる。
【００１４】
さらに、本発明の請求項３に係る発明は、前記変位部は、前記スプリング体から前記ケースに挿通される調整ねじを有してなることを特徴としている。
【００１５】
このように構成した本発明の請求項３に係る発明では、調整ねじを螺進することでスプリング体をケース方向に変位させることから、パネル高さ調整作業を容易に行なうことができる。
【発明の効果】
【００１６】
本発明によれば、スイッチボックスカバーとパネルとの間に段差が生じることを防ぐことができるとともに、パネル高さ調整手段はパネルとケースとの空隙に配置されるものであることから、意匠性に優れたかご内操作盤とすることができ、また、スイッチボックスカバーの開閉作業性を損なうことがない。
【００１７】
さらに、スイッチボックスカバーを開けることを要することなく、プレートとスプリング体との係合を任意に解除できることから、カバーロックの故障等にも対応することができる。
【００１８】
さらにまた、調整ねじの螺進によりスプリング体をケース方向に変位させる構造とすることで、下部パネル高さ調整作業を容易なものとすることができる。
【図面の簡単な説明】
【００１９】
【図１】本発明に係るエレベータ用かご内操作盤の概略構成斜視図である。
【図２】一体化された上部パネル、スイッチボックスおよび下部パネルをケースに収納した状態を示す斜視図である。
【図３】スイッチボックスの拡大斜視図である。
【図４】スイッチボックスカバーを開いた状態を示す斜視図である。
【図５】スイッチボックスカバーを閉じた状態を示し、図１のＡ−Ａ線に沿う縦断面図である。
【図６】本発明に係るエレベータ用かご内操作盤の一実施例を示す正面図である。
【図７】図６のＢ−Ｂ線に沿う縦断面図である。
【図８】パネル高さ調整手段の拡大縦断面図である。
【図９】パネル高さ調整手段によりパネル高さ調整を行なった状態を示す拡大縦断面図である。
【図１０】パネル高さ調整手段のプレートとスプリング体との係合解除方法を示す拡大縦断面図である。
【発明を実施するための形態】
【００２０】
以下、本発明に係るエレベータ用かご内操作盤の実施例を図に基づいて説明する。
【００２１】
本実施例のエレベータ用かご内操作盤は、図１に示すように、ドアの開閉や行き先階登録を行なう操作釦５を搭載する上部パネル１と、保守スイッチを搭載するスイッチボックス２と、このスイッチボックス２の下に設置される下部パネル３と、上部パネル１、スイッチボックス２および下部パネル３の両端に対となって配設され、これらを一体化する補強板４ａ、４ｂと、一体化された上部パネル１、スイッチボックス２および下部パネル３を収納するケース６とを有している。なお、一体化された上部パネル１、スイッチボックス２および下部パネル３をケース６に収納すると図２に示すような状態となる。
【００２２】
スイッチボックス２は、図３、図４および図５に示すように、かご内操作盤の意匠面の一部を構成するスイッチボックスカバー２ａを備え、このスイッチボックスカバー２ａは上部ヒンジ７ａ、下部ヒンジ７ｂにより回転可能に支持されるとともに、スイッチボックスカバー２ａ上部に設けられたカバーロック８が上部パネル１の下端に設置されたあて板９に係止することで、スイッチボックスカバー２ａの閉じ状態が維持されるようになっている。また、スイッチボックスカバー２ａは、図４に示すように、開き動作に応じてスイッチボックスカバー２ａの回転軸側、すなわち、上部ヒンジ７ａと下部ヒンジ７ｂとを結んで形成される軸側がスイッチボックス２内へ入り込む。このときスイッチボックスカバー２ａと補強板４ｂが干渉しないように、補強板４ｂはその一部が切断されている。
【００２３】
そして、本実施例のエレベータ用かご内操作盤は、図６、図７、図８および図９に示すように、下部パネル３の裏面に取付けられ、突起１０ａ１および他の突起１０ａ２が設けられるプレート１０ａと、ケース６に取付けられ、突起１０ａ１が嵌入される切欠部１０ｂ１が形成されたスプリング体１０ｂと、このスプリング体１０ｂをケース６方向に変位させる変位部１０ｃとを具備してなるパネル高さ調整手段１０が設けられている。また、突起１０ａ１は、ケース６に向かって先細りとなるテーパを有するとともに、他の突起１０ａ２は、スイッチボックスカバー２ａに向かって先細りとなるテーパが設けられている。さらに、変位部１０ｃは、スプリング体１０ｂをケース６から所定寸法浮かせて設置するためのスペーサ１０ｃ１と、スプリング体１０ｂからケース６に挿通される調整ねじ１０ｃ２とを備えてなっている。
【００２４】
本実施例にあっては、パネル高さ調整手段１０は、一体化された上部パネル１、スイッチボックス２および下部パネル３を収納するケース６へ収納すると、図８に示すように、プレート１０ａの突起１０ａ１がスプリング体１０ｂの切欠部１０ｂ１に係合する位置に設置される。そこで、一体化された上部パネル１、スイッチボックス２および下部パネル３をケース６へ収納した後、スイッチボックスカバー２ａを開いた状態で、調整ねじ１０ｃ２をケース６方向に螺進することで、スプリング体１０ｂは図９に示すように変位する。スプリング体１０ｂはプレート１０ａを介して下部パネル３と連結されていることから、スプリング体１０ｂの変位に応じて下部パネル３もケース６側へ変位する。このようにして下部パネル３の高さ、すなわち、下部パネル３とケース６との間隙寸法を調整する。これによって、カバーロック８あて板９への係止に伴い、スイッチボックスカバー２ａの回転軸、すなわち、上部ヒンジ７ａと下部ヒンジ７ｂとを結んで形成される軸が傾くことを抑止し、スイッチボックスカバー２ａと下部パネル３との間に段差が生じることを防ぐ。
【００２５】
また、通常時、上部パネル１、スイッチボックス２および下部パネル３からなる一体物は、プレート１０ａとスプリング体１０ｂとの係合を介してケース６と連結状態にある。したがって、上部パネル１、スイッチボックス２および下部パネル３からなる一体物をケース６から取り外す場合、スイッチボックスカバー２ａを開き、調整ねじ１０ｃ２を緩め、プレート１０ａとスプリング体１０ｂの係合を解除する必要がある。しかし、何らかの要因によりカバーロック８が故障し操作不能となった場合、図１０に示すように、スイッチボックスカバー２ａと下部パネル３との間隙から薄い板状の治具１１を挿入し、プレート１０ａに設けた他の突起１０ａ２を押すことで、プレート１０ａを押し下げ、プレート１０ａとスプリング体１０ｂとの係合を解除し、この状態で上部パネル１、スイッチボックス２および下部パネル３からなる一体物をケース６から取り外す。
【００２６】
本実施例によれば、スイッチボックスカバー２ａと下部パネル３との間に段差が生じることを防ぐことができるとともに、パネル高さ調整手段１０は下部パネル３とケース６との空隙に配置されるものであることから、意匠性に優れたかご内操作盤とすることができ、また、スイッチボックスカバー２ａの開閉作業性を損なうことがない。さらに、スイッチボックスカバー２ａを開けることを要することなく、プレート１０ａとスプリング体１０ｂとの係合を任意に解除できることから、カバーロックの故障等にも対応することができる。さらにまた、調整ねじ１０ｃ２の螺進によりスプリング体１０ｂをケース６方向に変位させる構造とすることで、下部パネル高さ調整作業を容易なものとすることができる。
【００２７】
なお、本実施例では、カバーロック８がスイッチボックスカバー２ａの上部に設けられたものを例として説明したが、本発明はこれに限らず、カバーロックがスイッチボックスカバーの下部に設けられたものでも、パネル高さ調整手段を上部パネル１とケース６との空隙に設置することで同様の効果を得ることができる。
【符号の説明】
【００２８】
１  上部パネル
２  スイッチボックス
２ａ  スイッチボックスカバー
３  下部パネル
４ａ、４ｂ  補強板
５  操作釦
６  ケース
７ａ  上部ヒンジ
７ｂ  下部ヒンジ
８  カバーロック
９  あて板
１０  パネル高さ調整手段
１０ａ  プレート
１０ａ１  突起
１０ａ２  他の突起
１０ｂ  スプリング体
１０ｂ１  切欠部
１０ｃ  変位部
１０ｃ１  スペーサ
１０ｃ２  調整ねじ
１１  治具
【図１】
2010275041.tif 000003
【図２】
2010275041.tif 000004
【図３】
2010275041.tif 000005
【図４】
2010275041.tif 000006
【図５】
2010275041.tif 000007
【図６】
2010275041.tif 000008
【図７】
2010275041.tif 000009
【図８】
2010275041.tif 000010
【図９】
2010275041.tif 000011
【図１０】
2010275041.tif 000012